(57)【特許請求の範囲】
【請求項１】
被検者の撮影部位に、Ｘ線照射野をＸ線可動絞りの照射ランプで照準し確認して、Ｘ線照射スイッチの第一スイッチの操作によって、Ｘ線管のフィラメント加熱と陽極回転の撮影準備をする撮影準備手段を動作させ、準備完了後に、第二スイッチの操作で高電圧をＸ線管に印加して撮影を行なうＸ線撮影装置において、前記Ｘ線照射スイッチの第一スイッチ操作のＯＮの時間を認識する認識手段を設け、ＯＮの時間が所定の時間以下であれば、認識手段の出力によりＸ線可動絞りの照射ランプを点灯、消灯させ、また、ＯＮの時間が所定の時間以上であれば撮影準備手段が動作するようにしたことを特徴とするＸ線撮影装置。
【請求項２】
被検者の撮影部位に、Ｘ線照射野をＸ線可動絞りの照射ランプで照準し確認して、Ｘ線照射スイッチの第一スイッチの操作によって、Ｘ線管のフィラメント加熱と陽極回転の撮影準備をする撮影準備手段を動作させ、準備完了後に、第二スイッチの操作で高電圧をＸ線管に印加して撮影を行なう回診用Ｘ線撮影装置において、前記Ｘ線照射スイッチの第一スイッチ操作のＯＮの時間を認識する認識手段を設け、ＯＮの時間が所定の時間以下であれば、認識手段の出力によりＸ線可動絞りの照射ランプを点灯、消灯させ、また、ＯＮの時間が所定の時間以上であれば撮影準備手段が動作するようにしたことを特徴とする回診用Ｘ線撮影装置。
【発明の詳細な説明】
【０００１】
【発明の属する技術分野】
本発明は、Ｘ線可動絞りによるＸ線の照射野を、照射ランプで被検者の検査部位に照準する機能を備えたＸ線撮影装置に関する。
【０００２】
【従来の技術】
Ｘ線撮影装置として、例えば、図３に示すようなコードレスインバータ方式の回診用Ｘ線撮影装置がある。この装置は、Ｘ線管３２と、それを保持するアーム３９と、台車４１上で旋回可能な支柱４０と、その支柱４０に沿ってアーム３９が上下する上下移動部と、旋回自在の前輪４４およびかじ取り不能の後輪４３を備え、台車４１に設けられた操作ハンドル４２を前後に操作することによって、駆動モータで前進または後退する制御器を含む台車４１とから構成されている。
そして、Ｘ線管３２の支持機構と回転機構を備えて、水平方向に伸縮するアーム３９が、支柱４０上をスムースに垂直移動し、バランスが取れる機構に設計され、あらゆる方向と空間的な位置に向けることができる、Ｘ線管３２の放射口に取り付けられたＸ線可動絞り５が、撮影台３６上に載せられた被検者３４の撮影部位にむけられ、下部にセットされたカセッテ４５を用いて撮影される。
このＸ線撮影装置は、移動型装置として小型・軽量で移動操作性の良いことが特徴であり、病院内でベッドルーム、手術室、小児室、レントゲン室、乳児室等に容易に移動して、手軽に現場でＸ線撮影用として使用される。
【０００３】
Ｘ線撮影は、台車４１に延長接続された図４に示すＸ線照射スイッチ３を用いて行なわれる。術者３５は、Ｘ線撮影に先立ってＸ線の照射範囲を知るために被検者３４の近傍に立ち、Ｘ線可動絞り５の側面に取りつけられた、または、別途設けられた手元照射ランプスイッチ６をＯＮしてＸ線可動絞り５の内部に設けられた照射ランプにより、被検者３４の体表に照準された照射視野を確認する。Ｘ線可動絞り５の側面に設けられたつまみで照射視野を調整することができる。調整が終われば手元照射ランプスイッチ６をＯＦＦする。そして、術者３５は、被検者３４から離れた場所に移動し、図４の（ｂ）に示すように、Ｘ線照射スイッチ３の第一の押しボタンＳＷ１を指３８で押すと、撮影準備回路が動作する。撮影に先立ちＸ線管３２のフィラメントの加熱回路が動作し、回転陽極の回転スタータ回路が動作し、所定の準備が完了するのに約１秒以上かかる。そして、撮影準備完了後、図４の（ｃ）に示すように、第二の押しボタンＳＷ２を指３８で押すと、Ｘ線管３２に高電圧が印加されてＸ線が照射され、撮影が完了する。
【０００４】
次に、Ｘ線用可動絞りの構造について図５を参照しながら説明する。Ｘ線照射野を調整するために、Ｘ線撮影装置のＸ線管３２の放射口に取り付けられるＸ線可動絞り５の役割は、被爆線量を低減することと画質を向上することである。
Ｘ線管３２の焦点３２ａからのＸ線は、Ｘ線用可動絞り５に設けられた左右前後のＸ線を制限する下羽根９、１０と、線錐制限羽根７、８との２段の羽根によって、Ｘ線束１９となって被検者３４の診断部位に照射される。
鉛板を主材料とした線錐制限羽根７、８（上羽根ともいう）は、利用線錐を必要最小限のＸ線照射野に設定する。この羽根の駆動方法は、ギアとリンク機構による円弧運動、または、ワイヤーロープとプーリー及び平行に配置したシャフトによる平行運動の２つの方法があるが、前者は機構が簡素であり、後者は設定するＸ線照射野の精度が良い。この線錐制御羽根７、８に連動し、下羽根９、１０及び焦点外Ｘ線低減羽根１１、１２（奥羽根ともいう）が動作する。駆動には小型モータが使用される。下羽根９、１０は、散乱線の減少および可動絞りの漏れ線量低減に大きく寄与し、焦点外Ｘ線低減羽根１１、１２は、焦点外Ｘ線を効果的に低減させる羽根である。以上の３組の羽根の個々の性能はもちろんのこと、相互の幾何学的関係と組み立て寸法精度により総合性能が決定される。Ｘ線照射野の表示は、照射ランプ１３から出た光がミラー１４、１５と線錐制限羽根７、８を通過して形成した光照射野を被検者３４上で目視する方法と、線錐制限羽根７、８と連動する指針１６がＸ線照射野の目盛板１７を指示して開度を表示する２つの方法があり、Ｘ線を放射せずに確認することができる。ただし、照射ランプ１３を備えないものもある。また、Ｘ線の線質を規定する総濾過を守るため、脱着可能な付加フィルタ１８などが備えられている。
【０００５】
【発明が解決しようとする課題】
従来のＸ線撮影装置は以上のように構成されているが、Ｘ線照射野の確認作業は、照射ランプ１３から出た光がミラー１４、１５と線錐制限羽根７、８を通過して形成した光照射野を被検者３４上で術者３５が目視して確認する方法か、線錐制限羽根７、８と連動する指針１６がＸ線照射野の目盛板１７を指示している開度を確認するする方法であり、照射ランプ１３のＯＮ−ＯＦＦ用の手元照射ランプスイッチ６が、Ｘ線可動絞り５の側面に取り付けられていると、Ｘ線照射野を知るためには、その都度Ｘ線可動絞り５の所まで術者３５が行って、手元照射ランプスイッチ６を押さなければならない、もしくは、Ｘ線照射野の目盛板１７を指示している開度を確認しなければならないことになり、術者３５にとって負担が大きくなるという問題がある。また、専用のスイッチによって照射ランプ１３のＯＮ−ＯＦＦを行なう時は、別途専用のスイッチを用意しなければ光源の操作が行えないという問題がある。
【０００６】
本発明は、このような事情に鑑みてなされたものであって、術者がＸ線照射野確認のために、その都度Ｘ線可動絞りの近傍まで行かなくても、そして、別途専用の操作スイッチを設けなくても、離れた場所から光照射野を照準できるＸ線撮影装置を提供することを目的とする。
【０００７】
【課題を解決するための手段】
上記の目的を達成するため請求項１記載の発明は、被検者の撮影部位に、Ｘ線照射野をＸ線可動絞りの照射ランプで照準し確認して、Ｘ線照射スイッチの第一スイッチの操作によってＸ線管のフィラメント加熱と陽極回転の撮影準備をする撮影準備手段を動作させ、準備完了後に、第二スイッチの操作で高電圧をＸ線管に印加して撮影を行なうＸ線撮影装置において、前記Ｘ線照射スイッチの第一スイッチ操作のＯＮの時間を認識する認識手段を設け、ＯＮの時間が所定の時間以下であれば、認識手段の出力によりＸ線可動絞りの照射ランプを点灯、消灯させ、また、ＯＮの時間が所定の時間以上であれば撮影準備手段が動作するようにしたものである。
また、請求項２記載の発明は、被検者の撮影部位に、Ｘ線照射野をＸ線可動絞りの照射ランプで照準し確認して、Ｘ線照射スイッチの第一スイッチの操作によってＸ線管のフィラメント加熱と陽極回転の撮影準備をする撮影準備手段を動作させ、準備完了後に、第二スイッチの操作で高電圧をＸ線管に印加して撮影を行なう回診用Ｘ線撮影装置において、前記Ｘ線照射スイッチの第一スイッチ操作のＯＮの時間を認識する認識手段を設け、ＯＮの時間が所定の時間以下であれば、認識手段の出力によりＸ線可動絞りの照射ランプを点灯、消灯させ、また、ＯＮの時間が所定の時間以上であれば撮影準備手段が動作するようにしたものである。
【０００８】
本発明のＸ線撮影装置は上記のように構成されており、Ｘ線制御器にＸ線照射スイッチの第一スイッチ操作のＯＮの時間を認識する認識手段を設け、第一スイッチの操作を短時間操作すること、例えば、クリック操作により、Ｘ線可動絞りの照射ランプを点灯させたり、再度クリック操作することにより、照射ランプを消灯させることができる。また、第一スイッチを所定の時間以上ＯＮ状態にすることで撮影準備手段を動作させることができる。そのため、術者はＸ線可動絞りから離れた場所で、Ｘ線照射スイッチの第一のスイッチをクリック操作して、被検者の体表面に照準された光照射野を確認することができる。また、別途専用の操作スイッチを設けなくても、離れた場所から光照射野を照準できる。
【０００９】
【発明の実施の形態】
本発明のＸ線撮影装置の一実施例を、図１を参照しながら説明する。図１は本発明のＸ線撮影装置の機能ブロック図を示す。本Ｘ線撮影装置は、第一スイッチＳＷ１と第二スイッチＳＷ２とを有するＸ線照射スイッチ３と、Ｘ線制御器４内に、第一スイッチ操作のＯＮの時間を認識し、撮影準備開始か、Ｘ線可動絞りの照射ランプ点灯／消灯かを判別する認識回路２７と、Ｘ線管３２のフィラメント加熱と陽極回転の撮影準備をする撮影準備回路２９と、撮影準備の所定時間を確認する確認回路３０と、Ｘ線可動絞り５の照射ランプ１３を点灯したり消灯する照射ランプ点灯／消灯回路２８とが設けられ、Ｘ線照射スイッチ３の第二スイッチＳＷ２によりＸ線管３２に高電圧を印加するための高電圧発生回路３１と、Ｘ線管３２と、内蔵した照射ランプにより光照射野を被検者３４に照準しＸ線照射野をコリメートするＸ線可動絞り５とから構成されている。
【００１０】
Ｘ線照射スイッチ３は、一段目に第一スイッチＳＷ１と２段目に第二スイッチＳＷ２とを有し、ＳＷ１はＸ線制御器４内に設けられた認識回路２７に接続され、ＳＷ２はＸ線制御器４内の高電圧発生回路３１を動作させる入力回路に接続されている。図４に示すように、通常は無操作状態（ａ）では、２段目のＳＷ２の中央部に一段目のＳＷ１が同心段状に配置され、指３８でＳＷ１のみを下方に押し下げ所定の時間以上ＯＮ状態にすると、撮影準備操作状態（ｂ）になり、Ｘ線管３２のフィラメント加熱回路と陽極回転スタータ回路が動作し、撮影準備状態になる。また、一段目のＳＷ１が、指３８で短時間ＯＮ状態、例えば、クリック操作を行うと、認識回路２７がＳＷ１の短い操作ＯＮ状態を認識し、Ｘ線可動絞り５の照射ランプ点灯／消灯回路２８が動作し、照射ランプ１３が点灯し光照射野を被検者３４の体表面に照準する。再び、ＳＷ１をクリック操作すると、照射ランプ点灯／消灯回路２８が動作し、照射ランプ１３が消灯する。
認識回路２７はＳＷ１の操作状態をスイッチＯＮの操作時間の長さで認識し、スイッチＯＮの時間が所定の時間以下であれば、Ｘ線可動絞り５の照射ランプ点灯／消灯回路２８を動作させるように信号を出力し、スイッチＯＮの時間が所定の時間以上であれば、撮影準備回路２９を動作させるように信号を出力する。一回の短時間操作で照射ランプ点灯／消灯回路２８を動作させて、照射ランプ１３を点灯させ、次に再び短時間操作を行うと、同様に照射ランプ点灯／消灯回路２８が動作して照射ランプ１３が消灯する。また、一回の短時間操作で照射ランプ点灯／消灯回路２８を動作させて、照射ランプ１３を点灯させ、次に長時間操作を行うと、撮影準備回路２９が動作して撮影準備が行われる。
撮影準備回路２９は、Ｘ線管３２のフィラメントに加熱電流を流し熱電子放出が容易にできるように、また、回転陽極を高速に回転させ熱容量を上げて、撮影の前準備を行うものである。この準備に要する時間は一秒以上を要し、Ｘ線管３２の種類によって異なる。Ｘ線管３２に高電圧が印加されるまでに確認回路３０を設けることにより、ＳＷ１の長時間操作から所定時間経過した後でないと、ＳＷ２を操作しても高電圧が印加されないようにされている。
Ｘ線可動絞り５は、従来通りの操作もできるように、Ｘ線可動絞り５の側面に手元照射ランプスイッチ６が設けられているが、本Ｘ線撮影装置では、この手元照射ランプスイッチ６はＯＦＦの状態にしておけば、Ｘ線照射スイッチ３のＳＷ１を短時間操作、例えばクリック操作して、Ｘ線制御器４内に設けられた照射ランプ点灯／消灯回路２８によって、点灯／消灯が行われる。
【００１１】
次に、図２を参照しながら本Ｘ線撮影装置の動作の流れを説明する。最初に、Ｘ線照射スイッチ３に設けられた一段目のＳＷ１をクリック操作する。認識回路２７は、短時間操作と判断して、照射ランプ点灯／消灯回路２８が動作して、Ｘ線可動絞り照射ランプ１３が点灯する。被検者３４の体表面にＸ線照射野に相当する光照射野を確認することができる。再び一段目のＳＷ１をクリック操作すると、照射ランプ点灯／消灯回路２８が動作して、Ｘ線可動絞り照射ランプ１３が消灯する。また、一段目のＳＷ１をクリック操作して、照射ランプ点灯／消灯回路２８を動作させ、Ｘ線可動絞り照射ランプ１３を点灯させて、次に一段目のＳＷ１を押さえ長時間操作すると、撮影準備状態になり、フィラメント加熱回路および陽極回転スタータ回路が動作する。所定の時間、約１秒以上経過すると、確認回路３０は撮影準備が完了したことを確認する。そして、Ｘ線照射スイッチの二段目のＳＷ２を押さえると、高電圧発生回路３１からＸ線管３２に高電圧が印加され、設定Ｘ線条件で撮影が完了する。
【００１２】
上記のように、術者３５はＸ線照射スイッチ３を握り、ケーブル３７によりＸ線撮影装置本体から離れた位置で、ＳＷ１をクリック操作するだけで、Ｘ線可動絞り５の照射ランプ１３を点灯させ、被検者３４の体表面にＸ線照射野に相当する光照射野を目視確認することができる。さらに、ＳＷ１を押し続けると、撮影準備に入り、ＳＷ２を押すことで高電圧がＸ線管３２に印加され、撮影が行われる。
なお、上記においては、認識回路２７および撮影準備回路２９として説明したが、これらはソフトウエアで処理する手法も含まれる認識手段、撮影手段の一例で上記ならびに図示例に限定されない。
【００１３】
【発明の効果】
本発明のＸ線撮影装置は上記のように構成されており、Ｘ線照射スイッチに設けられた第一スイッチ操作のＯＮ時間を認識する認識回路がＸ線制御器内に設けられ、術者が、Ｘ線操作スイッチを握ってＸ線可動絞りから離れた場所で、第一スイッチを短時間操作、例えば、クリック操作をすれば、認識回路の出力によりＸ線可動絞りの照射ランプが点灯され、被検者の体表面に照準された光照射野を確認することができる。そして、再度クリック操作すれば、照射ランプが消灯する。また、第一スイッチ操作を長くすると、撮影準備回路が動作して、フィラメントが加熱され、陽極の回転が行われ、撮影準備完了後、第二スイッチを押すと撮影が行われる。そのため、別途専用の操作スイッチを設けなくても、離れた場所から光照射野を目視確認ができ、術者の労力を軽減することができる。
【図面の簡単な説明】
【図１】  本発明のＸ線撮影装置の一実施例をブロックで示す図である。
【図２】  本発明のＸ線撮影装置の動作フローチャートを示す図である。
【図３】  回診用Ｘ線撮影装置を用いたＸ線撮影状態を示す図である。
【図４】  ２段操作式のＸ線照射スイッチを示す図である。
【図５】  Ｘ線可動絞りの構造を示す図である。
【符号の説明】
１…ＳＷ（一段目）
２…ＳＷ（二段目）
３…Ｘ線照射スイッチ
４…Ｘ線制御器
５…Ｘ線可動絞り
６…手元照射ランプスイッチ
２７…認識回路
２８…照射ランプ点灯／消灯回路
２９…撮影準備回路
３０…確認回路
３１…高電圧発生回路
３２…Ｘ線管
【図１】
0003721945.tif 000002
【図２】
0003721945.tif 000003
【図３】
0003721945.tif 000004
【図４】
0003721945.tif 000005
【図５】
0003721945.tif 000006